(57)【特許請求の範囲】
【請求項１】
摺動前端側が上下に揺動するスライドバーを摺動させつつ揺動させて、下降した該スライドバーの摺動前端側で物品を固定するクランプ装置において、
ハンドルを回動させることで、該スライドバーを摺動させると共に該スライドバーの摺動前端側を上下に揺動させるハンドル部と、
該スライドバーの両脇に位置する側壁部材から該スライドバー方向に突出して設けられたスライドピンを備え、
該スライドバーに、該スライドバーの長手方向に沿って伸びると共に該スライドピンが当接する当接部が形成され、
該スライドバーの当接部に、該スライドピンが当接することにより該スライドバーの摺動前端側を下降させる傾斜部が少なくとも形成されると共に、
該スライドバーの当接部に、該スライドバーが該摺動前端側に摺動して該物品を固定する位置で、該スライドピン又は該側壁部材から該スライドバー方向に突出して設けられた当接部材が突き当たって該スライドバーの摺動を止める突当て部が形成され、
該スライドバーの摺動前端が上昇し且つ摺動後端側に位置する状態で、該ハンドルを回動させて該スライドバーを該摺動前端方向に摺動させると、該スライドピンが該スライドバーの当接部の傾斜部に当接して、該スライドバーの摺動前端側を下降させ、
さらに該ハンドルを回動させて該スライドバーを該摺動前端方向に摺動させると、該スライドピン又は該当接部材が、該スライドバーの突当て部に突き当たって該スライドバーの揺動及び摺動が停止されることにより、該スライドバーが固定されると共に下降した該スライドバーの摺動前端側で該物品が固定されることを特徴とするクランプ装置。
【請求項２】
前記スライドバーの当接部が、該スライドバーの長手方向に伸びて穿設されたスライド溝の内面により形成されることを特徴とする請求項１記載のクランプ装置。
【請求項３】
摺動前端側が上下に揺動するスライドバーを摺動させつつ揺動させて、下降した該スライドバーの摺動前端側で物品を固定するクランプ装置において、
ハンドルを回動させることで、該スライドバーを摺動させると共に該スライドバーの摺動前端側を上下に揺動させるハンドル部と、
該スライドバーの両脇に位置する側壁部材から該スライドバー方向に突出して設けられたスライドピンを備え、
該スライドバーに、該スライドバーの長手方向に沿って伸びると共に該スライドピンが当接する当接部が形成され、
該スライドバーの当接部に、該スライドピンが当接することにより該スライドバーの摺動前端側を下降させる傾斜部が少なくとも形成され、
該スライドバーが、該スライドバーが該摺動前端側に摺動して該物品を固定する位置で、該側壁部材に突き当たって該スライドバーの摺動を止める当接突起を有し、
該スライドバーの摺動前端が上昇し且つ摺動後端側に位置する状態で、該ハンドルを回動させて該スライドバーを該摺動前端方向に摺動させると、該スライドピンが該スライドバーの当接部の傾斜部に当接して、該スライドバーの摺動前端側を下降させ、
さらに該ハンドルを回動させて該スライドバーを該摺動前端方向に摺動させると、該当接突起が、該側壁部材に突き当たって該スライドバーの揺動及び摺動が停止されることにより、該スライドバーが固定されると共に下降した該スライドバーの摺動前端側で該物品が固定されることを特徴とするクランプ装置。
【請求項４】
前記スライドバーの当接部及び前記傾斜部が、該スライドバーの下面に設けられていることを特徴とする請求項３記載のクランプ装置。
【請求項５】
摺動前端側が上下に揺動するスライドバーを摺動させつつ揺動させて、下降した該スライドバーの摺動前端側で物品を固定するクランプ装置において、
ハンドルを回動させることで、該スライドバーを摺動させると共に該スライドバーの摺動前端側を上下に揺動させるハンドル部と、
該スライドバーが、該スライドバーの両脇に位置する側壁部材方向に突出して設けられたスライドピンを備え、
該側壁部材に、該スライドバーの長手方向に沿って伸びると共に該スライドピンが挿嵌されるスライド溝が穿設されて形成され、
該側壁部材のスライド溝に、該スライドピンが当接することにより該スライドバーの摺動前端側を下降させる傾斜部が形成されると共に、
該側壁部材のスライド溝に、該スライドバーが該摺動前端側に摺動して該物品を固定する位置で、該スライドピンが突き当たって該スライドバーの摺動を止める突当て部が形成され、
該スライドバーの摺動前端が上昇し且つ摺動後端側に位置する状態で、該ハンドルを回動させて該スライドバーを該摺動前端方向に摺動させると、該スライドピンが該側壁部材のスライド溝の傾斜部に当接して、該スライドバーの摺動前端側を下降させ、
さらに該ハンドルを回動させて該スライドバーを該摺動前端方向に摺動させると、該スライドピンが、該スライド溝の突当て部に突き当たって該スライドバーの揺動及び摺動が停止されることにより、該スライドバーが固定されると共に下降した該スライドバーの摺動前端側で該物品が固定されることを特徴とするクランプ装置。
【請求項６】
前記ハンドルが、要部分が回転中心である扇状部を有し、
前記スライドバーの前記摺動前端側と該扇状部とにそれぞれの端部が回動自在に接続された連結アームを有し、
該連結アームによって、該スライドバーの摺動前端側と該ハンドルの扇状部との間が連結されていることを特徴とする請求項１〜請求項５記載のクランプ装置。
【請求項７】
前記ハンドルが、要部分が回転中心である扇状部を有し、
前記スライドバーの前記摺動前端側と該扇状部とにそれぞれの端部が回動自在に接続された連結アームを有し、
該連結アームによって、該スライドバーの摺動前端側と該ハンドルの扇状部との間が連結されており、
前記側壁部材の該スライドバーの該連結アームの連結位置よりも該摺動前端側であって該連結アームの上方に、スライド受ピンを備え、
該スライドバーが該摺動前端側にある状態で、前記ハンドルを回動させて該スライドバーを前記摺動後端側に摺動させると、該スライドバーの該摺動前端側が上方に揺動した後に該スライド受ピンに当接し、該スライド受ピンに規制されつつ摺動することを特徴とする請求項１〜請求項６記載のクランプ装置。
【発明の詳細な説明】
【技術分野】
【０００１】
本発明は、機械加工工程等において物品を固定するためのクランプ装置に関する。
【背景技術】
【０００２】
従来より、機械加工工程等において物品を固定するためのものとしてクランプ装置が、各種用いられている。例えば、特許文献１のトグルクランプは、レバーの操作によってトグル機構を動かしてクランプシャフトを動作させて、物品を固定させてものである。【０００３】
また、本願出願人は、特許文献２に示すようなクランプ装置を提案している。このクランプ装置は、カム軸を介して装置本体に回転可能に支持されたカムと、連結アームを介してカムと連結するスライドバーとを有する。そして、カムの回転によりスライドバーが、物品に対して進退するようにストローク動作し、ストローク端付近でカムがスライドバーに圧接し、圧接力でスライドバーを押し下げ、スライドバーにより物品を固定する仕組みである。そして、スライドバーのストローク端付近で連結アームに当接するストッパを有し、ストッパの当接により連結アームを介してスライドバーを略圧接方向に付勢するようにしている。
【先行技術文献】
【特許文献】
【０００４】
【特許文献１】特開２０１５−４６４号公報
【特許文献２】特開２０１２−３０３０７号公報
【発明の概要】
【発明が解決しようとする課題】
【０００５】
しかしながら、従来の本出願の提案のクランプ装置では、クランプ性能や耐久性には問題無いが、カムがスライドバーに圧接する圧接力でスライドバーを押し下げて物品を固定することから、スライドバーやカムを所定の剛性を持たせる必要があり、また、スライドバーを付勢する必要がある等、構造の容易化や軽量化や部品点数の削減が困難である。【０００６】
本発明は、このような事情に鑑みてなされたもので、構造が容易で軽量化が可能で、部品点数を抑えたクランプ装置を提供することにある。
【課題を解決するための手段】
【０００７】
請求項１記載のクランプ装置は、ハンドルを回動させることで、スライドバーを摺動させると共にスライドバーの摺動前端側を上下に揺動させるハンドル部と、スライドバーの両脇に位置する側壁部材からスライドバー方向に突出して設けられたスライドピンを備え、スライドバーに、スライドバーの長手方向に沿って伸びると共にスライドピンが当接する当接部が形成され、スライドバーの当接部に、スライドピンが当接することによりスライドバーの摺動前端側を下降させる傾斜部が少なくとも形成されると共に、スライドバーの当接部に、スライドバーが摺動前端側に摺動して物品を固定する位置で、スライドピン又は側壁部材からスライドバー方向に突出して設けられた当接部材が突き当たってスライドバーの摺動を止める突当て部が形成され、スライドバーの摺動前端が上昇し且つ摺動後端側に位置する状態で、ハンドルを回動させてスライドバーを摺動前端方向に摺動させると、スライドピンがスライドバーの当接部の傾斜部に当接して、スライドバーの摺動前端側を下降させ、さらにハンドルを回動させてスライドバーを摺動前端方向に摺動させると、スライドピン又は当接部材が、スライドバーの突当て部に突き当たってスライドバーの揺動及び摺動が停止されることにより、スライドバーが固定されると共に下降したスライドバーの摺動前端側で物品が固定されることを特徴とする。【０００８】
請求項２記載のクランプ装置は、スライドバーの当接部が、スライドバーの長手方向に伸びて穿設されたスライド溝の内面により形成されることを特徴とする。【０００９】
請求項３記載のクランプ装置は、ハンドルを回動させることで、スライドバーを摺動させると共にスライドバーの摺動前端側を上下に揺動させるハンドル部と、スライドバーの両脇に位置する側壁部材からスライドバー方向に突出して設けられたスライドピンを備え、スライドバーに、スライドバーの長手方向に沿って伸びると共にスライドピンが当接する当接部が形成され、スライドバーの当接部に、スライドピンが当接することによりスライドバーの摺動前端側を下降させる傾斜部が少なくとも形成され、スライドバーが、スライドバーが摺動前端側に摺動して物品を固定する位置で、側壁部材に突き当たってスライドバーの摺動を止める当接突起を有し、スライドバーの摺動前端が上昇し且つ摺動後端側に位置する状態で、ハンドルを回動させてスライドバーを摺動前端方向に摺動させると、スライドピンがスライドバーの当接部の傾斜部に当接して、スライドバーの摺動前端側を下降させ、さらにハンドルを回動させてスライドバーを摺動前端方向に摺動させると、当接突起が、側壁部材に突き当たってスライドバーの揺動及び摺動が停止されることにより、スライドバーが固定されると共に下降したスライドバーの摺動前端側で物品が固定されることを特徴とする。【００１０】
請求項４記載のクランプ装置は、スライドバーの当接部及び傾斜部が、スライドバーの下面に設けられていることを特徴とする。【００１１】
請求項５記載のクランプ装置は、ハンドルを回動させることで、スライドバーを摺動させると共にスライドバーの摺動前端側を上下に揺動させるハンドル部と、スライドバーが、スライドバーの両脇に位置する側壁部材方向に突出して設けられたスライドピンを備え、側壁部材に、スライドバーの長手方向に沿って伸びると共にスライドピンが挿嵌されるスライド溝が穿設されて形成され、側壁部材のスライド溝に、スライドピンが当接することによりスライドバーの摺動前端側を下降させる傾斜部が形成されると共に、側壁部材のスライド溝に、スライドバーが摺動前端側に摺動して物品を固定する位置で、スライドピンが突き当たってスライドバーの摺動を止める突当て部が形成され、スライドバーの摺動前端が上昇し且つ摺動後端側に位置する状態で、ハンドルを回動させてスライドバーを摺動前端方向に摺動させると、スライドピンが側壁部材のスライド溝の傾斜部に当接して、スライドバーの摺動前端側を下降させ、さらにハンドルを回動させてスライドバーを摺動前端方向に摺動させると、スライドピンが、スライド溝の突当て部に突き当たってスライドバーの揺動及び摺動が停止されることにより、スライドバーが固定されると共に下降したスライドバーの摺動前端側で物品が固定されることを特徴とする。【００１２】
請求項６記載のクランプ装置は、ハンドルが、要部分が回転中心である扇状部を有し、スライドバーの摺動前端側と扇状部とにそれぞれの端部が回動自在に接続された連結アームを有し、連結アームによって、スライドバーの摺動前端側とハンドルの扇状部との間が連結されていることを特徴とする。【００１３】
請求項７記載のクランプ装置は、ハンドルが、要部分が回転中心である扇状部を有し、スライドバーの摺動前端側と扇状部とにそれぞれの端部が回動自在に接続された連結アームを有し、連結アームによって、スライドバーの摺動前端側とハンドルの扇状部との間が連結されており、側壁部材のスライドバーの連結アームの連結位置よりも摺動前端側であって連結アームの上方に、スライド受ピンを備え、スライドバーが摺動前端側にある状態で、ハンドルを回動させてスライドバーを摺動後端側に摺動させると、スライドバーの摺動前端側が上方に揺動した後にスライド受ピンに当接し、スライド受ピンに規制されつつ摺動することを特徴とする。
【発明の効果】
【００１４】
本願の発明によれば、スライドバーがスライド溝に挿嵌されたスライドピンで規制されつつ摺動する構造であることから、構造が容易で軽量化が可能で、部品点数を抑えることが可能である。
【図面の簡単な説明】
【００１５】
【図１】本発明に係る実施例１のクランプ装置を示す斜視図である。
【図２】同実施例１のクランプ装置の解放状態を説明する説明図である。
【図３】同実施例１のクランプ装置の解放状態を説明する説明図である。
【図４】同実施例１のクランプ装置の解放途中の動作を説明する説明図である。
【図５】同実施例１のクランプ装置のスライドバーの摺動中の動作を説明する説明図である。
【図６】同実施例１のクランプ装置のクランプ状態を説明する説明図である。
【図７】同実施例１のクランプ装置のクランプ状態を説明する説明図である。
【図８】同実施例１のクランプ装置のクランプ状態を説明する説明図である。
【図９】本発明に係る実施例２のクランプ装置のクランプ状態を示す斜視図である。
【図１０】同実施例２のクランプ装置のクランプ状態を説明する説明図である。
【図１１】同実施例２のクランプ装置のクランプ状態を説明する説明図である。
【図１２】本発明に係る実施例３のクランプ装置のクランプ状態を示す斜視図である。
【図１３】同実施例３のクランプ装置のクランプ状態を説明する説明図である。
【図１４】同実施例３のクランプ装置のクランプ状態を説明する説明図である。
【図１５】本発明に係る実施例４のクランプ装置のクランプ状態を示す斜視図である。
【図１６】同実施例４のクランプ装置のクランプ状態を説明する説明図である。
【図１７】同実施例４のクランプ装置のクランプ状態を説明する説明図である。
【図１８】本発明に係る実施例５のクランプ装置のクランプ状態を示す斜視図である。
【図１９】同実施例５のクランプ装置のクランプ状態を説明する説明図である。
【図２０】同実施例５のクランプ装置のクランプ状態を説明する説明図である。
【図２１】本発明に係る実施例６のクランプ装置のクランプ状態を示す斜視図である。
【図２２】同実施例６のクランプ装置のクランプ状態を説明する説明図である。
【図２３】本発明に係る実施例７のクランプ装置のクランプ状態を示す斜視図である。
【図２４】同実施例７のクランプ装置のクランプ状態を説明する説明図である。
【発明を実施するための形態】
【００１６】
本願発明に係るクランプ装置は、機械加工工程等において物品を固定（クランプ）するためのものである。以下で説明するクランプ装置は、特に縦押し型とし、物品を上方から押圧してクランプするものである。クランプ装置を構成する各部品は、通常は金属製であるが、所定の強度を有していれば、金属製に限定されるものではなく、樹脂製であってもよく、金属製に限定されるものではない。尚、これは本願発明のクランプ装置の一例を示すものであり、その他の変形例も可能である。
【００１７】
より具体的には、スライドバーの摺動前端が上昇し且つ摺動後端側に位置する状態で、ハンドルを回動させてスライドバーを摺動前端方向に摺動させると、スライドピンがスライドバーの当接部の傾斜部に当接して、スライドバーの摺動前端側を下降させ、さらにハンドルを回動させてスライドバーを摺動前端方向に摺動させると、スライドバーの揺動及び摺動が停止されることにより、スライドバーが固定されると共に下降したスライドバーの摺動前端側で物品が固定されるものである。
【００１８】
このようなクランプ装置は、いくつかの形態が可能で、以下、その実施例を説明する。尚、本願発明のクランプ装置によれば、スライドバーがスライドピンによって規制されつつ摺動する構造であることから、構造が容易で軽量化が可能で、部品点数を抑えることが可能である。
【実施例１】
【００１９】
以下、本願発明の実施の形態の一例を、実施例１として図面を参照しながら具体的に説明する。図１は、本発明に係る実施例１のクランプ装置を示す斜視図である。図２及び図３は、同実施例１のクランプ装置の解放状態を説明する説明図である。図４は、同実施例１のクランプ装置の解放途中の動作を説明する説明図である。図５は、同実施例１のクランプ装置のスライドバーの摺動中の動作を説明する説明図である。図６〜図８は、同実施例１のクランプ装置のクランプ状態を説明する説明図である。【００２０】
本実施例１のクランプ装置１の基本構造は、ハンドル３２を回動させることで、スライドバー４０を摺動させると共にスライドバー４０の摺動前端４０ａ側を上下に揺動させるハンドル部３０と、スライドバー４０の両脇に位置する側壁部材１０，１２からスライドバー４０方向に突出して設けられたスライドピン１４を備え、スライドバー４０に、スライドバー４０の長手方向に沿って伸びると共にスライドピン１４が当接する当接部としてのスライド溝４２が形成され、スライドバー４０の当接部としてのスライド溝４２に、スライドピン１４が当接することによりスライドバー４０の摺動前端４０ａ側を下降させる傾斜部が少なくとも形成されると共に、スライドバー４０の当接部に、スライドバー４０が摺動前端４０ａ側に摺動して物品を固定する位置で、スライドピン１４が突き当たってスライドバー４０の摺動を止める突当て部が形成されているものである。【００２１】
以下、まずは、本実施例１のクランプ装置１の具体的な構造を説明する。クランプ装置１は、側壁部材１０，１２、ハンドル部３０、スライドバー４０等からなる。そして、クランプ装置１は、両脇に略Ｌ字状に起立する側壁部材１０，１２を基本構造としている。２枚の側壁部材１０，１２は、必ずしも略Ｌ字状になっている必要はなく、単なる平面板材でもいいし、平面板材に加え他の形状を併せ持っていてもよい。側壁部材１０，１２が対向する間隔は、後述するハンドル部３０、スライドバー４０が、回動及び摺動可能な間隔であればよい。【００２２】
クランプ装置１のスライドバー４０は、前後（摺動前端４０ａ及び摺動後端４０ｄ）に伸びる上下方向に細巾の板状の部材である。スライドバー４０は、側面の後方（摺動後端４０ｄ側）から中央方向（スライドバー４０の摺動方向）に略沿って伸びるスライド溝４２がスライドバー４０を左右に貫通して穿設されている。スライド溝４２は、スライドバー４０の摺動後端４０ｄ側に、スライドバー４０の摺動方向に沿って伸びて穿設された摺動方向溝部４２ｂと、摺動方向溝部４２ｂの摺動後端４０ｄ側の端部が下方に折れ曲がって穿設された曲折溝部４２ｃとからなる。【００２３】
そして、スライドバー４０の摺動後端４０ｄ側の側壁部材１０と側壁部材１２との間に、スライドバー４０のスライド溝４２に挿嵌された状態でスライドピン１４が架け渡されている。スライドバー４０は、スライドピン１４によって、動作を規制されることになる。具体的な動作は後述するが、本実施例１のクランプ装置１では、スライドバー４０の当接部が、スライドバー４０の長手方向に伸びて穿設されたスライド溝４２の内面により形成されている。また、スライドバー４０の当接部の傾斜部が曲折溝部４２ｃで、突当て部が曲折端４２ｄによって形成されている。【００２４】
また、受軸１６が、スライドピン１４よりも摺動前端４０ａ側に、側壁部材１０と側壁部材１２との間に架け渡されて設けられ、周囲に装着された受軸カプラ１６ａを介して、スライドバー４０のスライド溝４２の曲折溝部４２ｃが折れ曲がった側の辺（下面４０ｃ）に当接するように設けられている。さらに、スライド受ピン１８が、スライドバー４０の後述する連結アーム５０の連結位置よりも摺動前端４０ａ側であって、スライド溝４２の曲折溝部４２ｃの折れ曲がる側とは逆側に、側壁部材１０と側壁部材１２との間に架け渡されて設けられている。【００２５】
ハンドル部３０は、薄板棒状のハンドル３２とその下端の扇状の扇状部３４からなり、扇状部３４の要部分が回転中心となって、側壁部材１０と側壁部材１２との間に架け渡された軸ピン２０によって回動自在に軸支されている。軸ピン２０の位置、すなわちハンドル３２の回動の中心は、スライドバー４０が略水平の位置のスライドバーの略中心の受軸１６とはスライドバー４０を挟んだ反対の位置である。そして、スライドバー４０の摺動前端４０ａ側とハンドル部３０の扇状部３４との間が、それぞれ連結ピン５２，５４で回動自在に軸支された連結アーム５０で連結されている。【００２６】
次に、以上のような構成のクランプ装置１の動作を説明する。まず、図１〜図３に示すように、スライドバー４０が摺動後端４０ｄにあるとき、スライドバー４０の摺動前端４０ａはもっとも上昇しており、この状態では、クランプ装置１は物品を解放している。また、この状態では、ハンドル３２ももっとも高い位置に揺動している。このスライドバー４０が摺動後端４０ｄにあるとき、スライドピン１４は、スライド溝４２の摺動前端４２ａに位置している。また、この状態では、スライドバー４０の摺動前端４０ａ側がスライド受ピン１８に当接し、スライド受ピン１８に規制された状態になっている。【００２７】
この状態で、図４に示すように、ハンドル部３０のハンドル３２を下向きに回動させると、スライドバー４０が摺動後端４０ｄ側に摺動させられ、スライドバー４０が、スライドピン１４に規制されて摺動方向溝部４２ｂの形状に沿って揺動して摺動前端４０ａ側に前進することになる。このとき、スライドバー４０は、上面４０ｂ及び下面４０ｃが、スライド受ピン１８と受軸１６にそれぞれ規制されてもいる。【００２８】
そして、さらにハンドル部３０のハンドル３２をさらに下向きに回動させると、図５に示すように、スライドバー４０が摺動後端４０ｄ側に摺動させられ、スライドバー４０が、スライドピン１４に規制されて摺動方向溝部４２ｂの形状に沿って揺動して摺動前端４０ａ側に前進すると共に、スライドピン１４がスライド溝４２の摺動方向溝部４２ｂと曲折溝部４２ｃとの交わる位置、すなわち傾斜部である曲折溝部４２ｃのはじまる位置に、スライドバー４０が到る。このとき、スライドバー４０は、上面４０ｂ及び下面４０ｃが、依然としてスライド受ピン１８と受軸１６にそれぞれ規制されてもいる。【００２９】
さらにハンドル部３０のハンドル３２をさらに下向きに回動させると、さらに、スライドバー４０が摺動後端４０ｄ側に摺動させられるが、スライドピン１４によってスライド溝４２が規制されていることから、曲折溝部４２ｃの軌道に沿った形で摺動前端４０ａが動くことになる。具体的には、スライドピン１４がスライドバー４０の当接部の傾斜部である曲折溝部４２ｃに当接して、曲折溝部４２ｃの傾斜に沿って、スライドバー４０の摺動前端４０ａ側が下降することになる。すなわち、スライドバー４０は、摺動されつつ下向きに揺動させられることになる。【００３０】
そして、ハンドル３２が水平になるまで下向きに回動させると、図６〜図８に示すように、スライドバー４０が摺動前端４０ａ側に至り、スライドピン１４が、突当て部であるスライド溝４２の曲折溝部４２ｃの曲折端４２ｄに突き当たって、スライドバー４０の揺動及び摺動が停止されることにより、スライドバー４０が固定されると共に下降したスライドバー４０の摺動前端４０ａ側で物品が固定される。【００３１】
上述とは反対に、物品の固定を解除する場合には、図６〜図８の状態から、ハンドル部３０のハンドル３２を上方向に回動させる。すると、ハンドル部３０の扇状部３４に連結アーム５０を介して連結されたスライドバー４０が、牽引されて摺動後端４０ｄに向かって牽引されつつ摺動されることになる。より具体的には、連結アーム５０が、スライドバー４０を、摺動前端４０ａ側をスライド溝４２の曲折溝部４２ｃの折れ曲がる側とは逆向きに牽引しつつ摺動させることになる。【００３２】
このときのスライドバー４０は、スライドピン１４によってスライド溝４２が規制されていることから、曲折溝部４２ｃの軌道に沿った形で摺動前端４０ａが動くことになる。他方、受軸１６が、スライドピン１４よりも摺動前端４０ａ側に設けられ、スライドバー４０のスライド溝４２の曲折溝部４２ｃが折れ曲がった側の辺である下面４０ｃに当接していることから、スライドバー４０を摺動後端４０ｄ側に摺動させると、スライドバー４０が、受軸１６及びスライドピン１４に規制されて曲折溝部４２ｃの形状に沿って揺動して摺動前端４０ａ側が曲折溝部４２ｃの折れ曲がる側とは逆向きに揺動することになる。【００３３】
また、スライドバー４０の上面４０ｂは、スライドバー４０の摺動前端４０ａ側が曲折溝部４２ｃの折れ曲がる側とは逆向きに揺動した後に、スライド受ピン１８に当接し、スライド受ピン１８に規制されつつ摺動することになる。【００３４】
このようにして、スライドバー４０の摺動前端４０ａが上方向に揺動することで、物品の固定が解除され、さらにハンドル３２を上方向に回動させることで、上述とは逆の動作で、図５及び図４の状態から図１〜図３の状態になる。
【実施例２】
【００３５】
以下、本願発明の実施の形態の一例を、実施例２として図面を参照しながら具体的に説明する。図９は、本発明に係る実施例２のクランプ装置のクランプ状態を示す斜視図である。図１０及び図１１は、同実施例２のクランプ装置のクランプ状態を説明する説明図である。【００３６】
本実施例２のクランプ装置２の基本構造は、ハンドル１３２を回動させることで、スライドバー１４０を摺動させると共にスライドバー１４０の摺動前端１４０ａ側を上下に揺動させるハンドル部１３０と、スライドバー１４０の両脇に位置する側壁部材１１０，１１２からスライドバー１４０方向に突出して設けられたスライドピン１１４を備え、スライドバー１４０に、スライドバー１４０の長手方向に沿って伸びると共にスライドピン１１４が当接する当接部としてのスライド溝１４２が形成され、スライドバー１４０の当接部としてのスライド溝１４２に、スライドピン１１４が当接することによりスライドバー１４０の摺動前端１４０ａ側を下降させる傾斜部が少なくとも形成されると共に、スライドバー１４０の当接部に、スライドバー１４０が摺動前端１４０ａ側に摺動して物品を固定する位置で、側壁部材１１０，１１２からスライドバー１４０方向に突出して設けられた当接部材が突き当たってスライドバー１４０の摺動を止める突当て部が形成されているものである。【００３７】
以下、まずは、本実施例２のクランプ装置２の具体的な構造を説明する。クランプ装置２は、側壁部材１１０，１１２、ハンドル部１３０、スライドバー１４０等からなる。そして、クランプ装置２は、両脇に略Ｌ字状に起立する側壁部材１１０，１１２を基本構造としている。２枚の側壁部材１１０，１１２は、実施例１の形状と同様である。【００３８】
クランプ装置２のスライドバー１４０は、前後（摺動前端１４０ａ及び摺動後端１４０ｄ）に伸びる上下方向に細巾の板状の部材である。スライドバー１４０は、上面１４０ｂに、後方（摺動後端１４０ｄ側）から中央方向（スライドバー１４０の摺動方向）に略沿って伸びるスライド溝１４２が上面１４０ｂの一部を削るように設けられている。スライド溝１４２は、スライドバー１４０の摺動前端１４０ａ側に、摺動後端１４０ｄ側に向かって下方に傾斜する傾斜部１４２ａを設けている。そして、傾斜部１４２ａの下端から摺動後端１４０ｄ側に向かって水平な水平部１４２ｂが設けられている。さらに、水平部１４２ｂの摺動後端１４０ｄ側の端は、壁状に立ち上がって当接端１４２ｃが形成されている。【００３９】
そして、スライドバー１４０のスライド溝１４２の傾斜部１４２ａから上面１４０ｂに係る位置の側壁部材１１０と側壁部材１１２との間に、スライドバー１４０のスライド溝１４２に当接可能にスライドピン１１４が架け渡されている。スライドバー１４０は、スライドピン１１４によって、動作を規制されることになる。また、スライドピン１１４の摺動後端１４０ｄ側の側壁部材１１０と側壁部材１１２との間に、当接ピン１２２が架け渡されている。具体的な動作は後述するが、本実施例２のクランプ装置２では、スライドバー１４０の当接部が、スライドバー１４０の長手方向に伸びて設けられたスライド溝１４２の面により形成されている。また、スライドバー１４０の当接部の傾斜部が傾斜部１４２ａで、突当て部が当接端１４２ｃによって形成されている。また、側壁部材１１０，１１２からスライドバー１４０方向に突出して設けられた当接部材が当接ピン１２２である。【００４０】
また、実施例１と同様に、受軸１１６が、スライドピン１１４よりも摺動前端１４０ａ側に、側壁部材１１０と側壁部材１１２との間に架け渡されて設けられ、周囲に装着された受軸カプラ１１６ａを介して、スライドバー１４０の下面１４０ｃに当接するように設けられている。さらに、実施例１と同様に、スライド受ピン１１８が、スライドバー１４０の後述する連結アーム１５０の連結位置よりも摺動前端１４０ａ側であって、スライドバー１４０の上面１４０ｂ側に、側壁部材１１０と側壁部材１１２との間に架け渡されて設けられている。【００４１】
ハンドル部１３０も実施例１と同様に、薄板棒状のハンドル１３２とその下端の扇状の扇状部１３４からなり、扇状部１３４の要部分が回転中心となって、側壁部材１１０と側壁部材１１２との間に架け渡された軸ピン１２０によって回動自在に軸支されている。軸ピン１２０の位置、すなわちハンドル１３２の回動の中心は、スライドバー１４０が略水平の位置のスライドバー１４０の略中心の受軸１１６とはスライドバー１４０を挟んだ反対の位置である。そして、スライドバー１４０の摺動前端１４０ａ側とハンドル部１３０の扇状部１３４との間が、それぞれ連結ピン１５２，１５４で回動自在に軸支された連結アーム１５０で連結されているのも実施例１と同様である。【００４２】
次に、以上のような構成のクランプ装置２の動作を説明する。まず、実施例１と同様に、スライドバー１４０が摺動後端１４０ｄにあるとき、スライドバー１４０の摺動前端１４０ａはもっとも上昇しており、この状態では、クランプ装置２は物品を解放している。また、この状態では、ハンドル１３２ももっとも高い位置に揺動している。このスライドバー１４０が摺動後端１４０ｄにあるとき、スライドピン１１４は、スライド溝１４２の水平部１４２ｂに位置している。また、この状態では、スライドバー１４０の摺動前端１４０ａ側がスライド受ピン１１８に当接し、スライド受ピン１１８に規制された状態になっている。【００４３】
この状態で、ハンドル部１３０のハンドル１３２を下向きに回動させると、スライドバー１４０が摺動後端１４０ｄ側に摺動させられ、スライドバー１４０が、スライドピン１１４に規制されて水平部１４２ｂの形状に沿って揺動して摺動前端１４０ａ側に前進することになる。このとき、スライドバー１４０は、上面１４０ｂ及び下面１４０ｃが、スライド受ピン１１８と受軸１１６にそれぞれ規制されてもいる。【００４４】
さらにハンドル部１３０のハンドル１３２をさらに下向きに回動させると、さらに、スライドバー１４０が摺動後端１４０ｄ側に摺動させられるが、スライドピン１１４によってスライド溝１４２が規制されていることから、傾斜部１４２ａの軌道に沿った形で摺動前端１４０ａが動くことになる。具体的には、スライドピン１１４がスライドバー１４０の当接部の傾斜部１４２ａに当接して、傾斜部１４２ａの傾斜に沿って、スライドバー１４０の摺動前端１４０ａ側が下降することになる。すなわち、スライドバー１４０は、摺動されつつ下向きに揺動させられることになる。【００４５】
そして、ハンドル１３２が水平になるまで下向きに回動させると、図９〜図１１に示すように、スライドバー１４０が摺動前端１４０ａ側に至り、当接部材である当接ピン１２２が、突当て部であるスライド溝１４２の当接端１４２ｃに突き当たって、スライドバー１４０の揺動及び摺動が停止されることにより、スライドバー１４０が固定されると共に下降したスライドバー１４０の摺動前端１４０ａ側で物品が固定される。【００４６】
上述とは反対に、物品の固定を解除する場合には、ハンドル部１３０のハンドル１３２を上方向に回動させる。すると、ハンドル部１３０の扇状部１３４に連結アーム１５０を介して連結されたスライドバー１４０が、牽引されて摺動後端１４０ｄに向かって牽引されつつ摺動されることになるが、ここからの動作は、上述とは反対の動作であり、また、スライド受ピン１１８等の規制は、実施例１と同様である。
【実施例３】
【００４７】
以下、本願発明の実施の形態の一例を、実施例３として図面を参照しながら具体的に説明する。図１２は、本発明に係る実施例３のクランプ装置のクランプ状態を示す斜視図である。図１３及び図１４は、同実施例３のクランプ装置のクランプ状態を説明する説明図である。【００４８】
本実施例３のクランプ装置３の基本構造は、ハンドル２３２を回動させることで、スライドバー２４０を摺動させると共にスライドバー２４０の摺動前端２４０ａ側を上下に揺動させるハンドル部２３０と、スライドバー２４０の両脇に位置する側壁部材２１０，２１２からスライドバー２４０方向に突出して設けられたスライドピン２１４を備え、スライドバー２４０に、スライドバー２４０の長手方向に沿って伸びると共にスライドピン２１４が当接する当接部としてのスライド溝２４２が形成され、スライドバー２４０の当接部であるスライド溝２４２に、スライドピン２１４が当接することによりスライドバー２４０の摺動前端２４０ａ側を下降させる傾斜部が少なくとも形成され、スライドバー２４０が、スライドバー２４０が摺動前端２４０ａ側に摺動して物品を固定する位置で、側壁部材２１０の側壁端２１０ａに突き当たってスライドバー２４０の摺動を止める当接突起２４４を有しているものである。【００４９】
以下、まずは、本実施例３のクランプ装置３の具体的な構造を説明する。クランプ装置３は、側壁部材２１０，２１２、ハンドル部２３０、スライドバー２４０等からなる。そして、クランプ装置３は、両脇に略Ｌ字状に起立する側壁部材２１０，２１２を基本構造としている。２枚の側壁部材２１０，２１２は、実施例１の形状と同様である。【００５０】
クランプ装置３のスライドバー２４０は、前後（摺動前端２４０ａ及び摺動後端２４０ｄ）に伸びる上下方向に細巾の板状の部材である。スライドバー２４０は、上面２４０ｂに、後方（摺動後端２４０ｄ側）から中央方向（スライドバー２４０の摺動方向）に略沿って伸びるスライド溝２４２が上面２４０ｂから摺動後端２４０ｄを削るように設けられている。スライド溝２４２は、スライドバー２４０の摺動前端２４０ａ側に、摺動後端２４０ｄ側に向かって下方に傾斜する傾斜部２４２ａを設けている。そして、傾斜部２４２ａの下端から摺動後端２４０ｄ側に向かっては水平な水平部２４２ｂが設けられている。さらに、スライドバー２４０の摺動後端２４０ｄには、側壁部材２１０方向に伸びて突出する当接突起２４４が設けられている。【００５１】
そして、スライドバー２４０のスライド溝２４２の傾斜部２４２ａの位置の側壁部材２１０と側壁部材２１２との間に、スライドバー２４０のスライド溝２４２に当接可能にスライドピン２１４が架け渡されている。スライドバー２４０は、スライドピン２１４によって、動作を規制されることになる。具体的な動作は後述するが、本実施例３のクランプ装置３では、スライドバー２４０の当接部が、スライドバー２４０の長手方向に伸びて設けられたスライド溝２４２の面により形成されている。また、スライドバー２４０の当接部の傾斜部が傾斜部２４２ａによって形成されている。【００５２】
また、実施例１と同様に、受軸２１６が、スライドピン２１４よりも摺動前端２４０ａ側に、側壁部材２１０と側壁部材２１２との間に架け渡されて設けられ、スライドバー２４０の下面２４０ｃに当接するように設けられている。さらに、実施例１と同様に、スライド受ピン２１８が、スライドバー２４０の後述する連結アーム２５０の連結位置よりも摺動前端２４０ａ側であって、スライドバー２４０の上面２４０ｂ側に、側壁部材２１０と側壁部材２１２との間に架け渡されて設けられている。【００５３】
ハンドル部２３０も実施例１と同様に、薄板棒状のハンドル２３２とその下端の扇状の扇状部２３４からなり、扇状部２３４の要部分が回転中心となって、側壁部材２１０と側壁部材２１２との間に架け渡された軸ピン２２０によって回動自在に軸支されている。軸ピン２２０の位置、すなわちハンドル２３２の回動の中心は、スライドバー２４０が略水平の位置のスライドバー２４０の略中心の受軸２１６とはスライドバー２４０を挟んだ反対の位置である。そして、スライドバー２４０の摺動前端２４０ａ側とハンドル部２３０の扇状部２３４との間が、それぞれ連結ピン２５２，２５４で回動自在に軸支された連結アーム２５０で連結されているのも実施例１と同様である。【００５４】
次に、以上のような構成のクランプ装置３の動作を説明する。まず、実施例１と同様に、スライドバー２４０が摺動後端２４０ｄにあるとき、スライドバー２４０の摺動前端２４０ａはもっとも上昇しており、この状態では、クランプ装置３は物品を解放している。また、この状態では、ハンドル２３２ももっとも高い位置に揺動している。このスライドバー２４０が摺動後端２４０ｄにあるとき、スライドピン２１４は、スライド溝２４２の傾斜部２４２ａ付近に位置している。また、この状態では、スライドバー２４０の摺動前端２４０ａ側がスライド受ピン２１８に当接し、スライド受ピン２１８に規制された状態になっている。【００５５】
この状態で、ハンドル部２３０のハンドル２３２を下向きに回動させると、スライドバー２４０が摺動後端２４０ｄ側に摺動させられる。このとき、スライドバー２４０は、上面２４０ｂ及び下面２４０ｃが、スライド受ピン２１８と受軸２１６にそれぞれ規制されてもいる。【００５６】
さらにハンドル部２３０のハンドル２３２をさらに下向きに回動させると、さらに、スライドバー２４０が摺動後端２４０ｄ側に摺動させられるが、スライドピン２１４によってスライド溝２４２が規制されることになることから、傾斜部２４２ａの軌道に沿った形で摺動前端２４０ａが動くことになる。具体的には、スライドピン２１４がスライドバー２４０の当接部の傾斜部２４２ａに当接して、傾斜部２４２ａの傾斜に沿って、スライドバー２４０の摺動前端２４０ａ側が下降することになる。すなわち、スライドバー２４０は、摺動されつつ下向きに揺動させられることになる。【００５７】
そして、ハンドル２３２が水平になるまで下向きに回動させると、図１２〜図１４に示すように、スライドバー２４０が摺動前端２４０ａ側に至り、スライドバー２４０の当接突起２４４が側壁部材２１０の側壁端２１０ａに突き当たって、スライドバー２４０の揺動及び摺動が停止されることにより、スライドバー２４０が固定されると共に下降したスライドバー２４０の摺動前端２４０ａ側で物品が固定される。【００５８】
上述とは反対に、物品の固定を解除する場合には、ハンドル部２３０のハンドル２３２を上方向に回動させる。すると、ハンドル部２３０の扇状部２３４に連結アーム２５０を介して連結されたスライドバー２４０が、牽引されて摺動後端２４０ｄに向かって牽引されつつ摺動されることになるが、ここからの動作は、上述とは反対の動作であり、また、スライド受ピン２１８等の規制は、実施例１と同様である。
【実施例４】
【００５９】
以下、本願発明の実施の形態の一例を、実施例４として図面を参照しながら具体的に説明する。図１５は、本発明に係る実施例４のクランプ装置のクランプ状態を示す斜視図である。図１６及び図１７は、同実施例４のクランプ装置のクランプ状態を説明する説明図である。【００６０】
本実施例４のクランプ装置４の基本構造は、ハンドル３３２を回動させることで、スライドバー３４０を摺動させると共にスライドバー３４０の摺動前端３４０ａ側を上下に揺動させるハンドル部３３０と、スライドバー３４０の両脇に位置する側壁部材３１０，３１２からスライドバー３４０方向に突出して設けられたスライドピン３１４を備え、スライドバー３４０の下面３４０ｃに、スライドピン３１４が当接する当接部としてのスライド溝３４２が形成され、スライドバー３４０の当接部であるスライド溝３４２が、スライドピン３１４が当接することによりスライドバー３４０の摺動前端３４０ａ側を下降させる傾斜部として形成され、スライドバー３４０が、スライドバー３４０が摺動前端３４０ａ側に摺動して物品を固定する位置で、側壁部材３１０の側壁端３１０ａに突き当たってスライドバー３４０の摺動を止める当接突起３４４を有しているものである。【００６１】
以下、まずは、本実施例４のクランプ装置４の具体的な構造を説明する。クランプ装置４は、側壁部材３１０，３１２、ハンドル部３３０、スライドバー３４０等からなる。そして、クランプ装置４は、両脇に略Ｌ字状に起立する側壁部材３１０，３１２を基本構造としている。２枚の側壁部材３１０，３１２は、実施例１の形状と同様である。【００６２】
クランプ装置４のスライドバー３４０は、前後（摺動前端３４０ａ及び摺動後端３４０ｄ）に伸びる上下方向に細巾の板状の部材である。スライドバー３４０は、下面３４０ｃに、摺動後端３４０ｄ方向に斜めに傾斜する傾斜部状の切り欠き状のスライド溝３４２が設けられている。さらに、スライドバー３４０の摺動後端３４０ｄには、側壁部材３１０方向に伸びて突出する当接突起３４４が設けられている。【００６３】
そして、スライドバー３４０のスライド溝３４２の位置の側壁部材３１０と側壁部材３１２との間に、スライドバー３４０のスライド溝３４２に当接可能にスライドピン３１４が架け渡されている。スライドバー３４０は、スライドピン２１４によって、動作を規制されることになる。具体的な動作は後述するが、本実施例４のクランプ装置４では、スライドバー３４０の当接部が、スライドバー３４０の下面３４０ｃに設けられたスライド溝３４２の面により形成されている。また、スライドバー３４０の当接部の傾斜部がスライド溝３４２自体によって形成されている。【００６４】
また、受軸３１６が、スライドピン３１４よりも摺動後端３４０ｄ側に、側壁部材３１０と側壁部材３１２との間に架け渡されて設けられ、スライドバー３４０の下面３４０ｃに当接するように設けられている。さらに、実施例１と同様に、スライド受ピン３１８が、スライドバー３４０の後述する連結アーム３５０の連結位置よりも摺動前端３４０ａ側であって、スライドバー３４０の上面３４０ｂ側に、側壁部材３１０と側壁部材３１２との間に架け渡されて設けられている。【００６５】
ハンドル部３３０も実施例１と同様に、薄板棒状のハンドル３３２とその下端の扇状の扇状部３３４からなり、扇状部３３４の要部分が回転中心となって、側壁部材３１０と側壁部材３１２との間に架け渡された軸ピン３２０によって回動自在に軸支されている。軸ピン３２０の位置、すなわちハンドル３３２の回動の中心は、スライドバー３４０が略水平の位置のスライドバー３４０の略中心の受軸３１６とはスライドバー３４０を挟んだ反対の位置である。そして、スライドバー３４０の摺動前端３４０ａ側とハンドル部３３０の扇状部３３４との間が、それぞれ連結ピン３５２，３５４で回動自在に軸支された連結アーム３５０で連結されているのも実施例１と同様である。【００６６】
次に、以上のような構成のクランプ装置４の動作を説明する。まず、実施例１と同様に、スライドバー３４０が摺動後端３４０ｄにあるとき、スライドバー３４０の摺動前端３４０ａはもっとも上昇しており、この状態では、クランプ装置４は物品を解放している。また、この状態では、ハンドル３３２ももっとも高い位置に揺動している。このスライドバー３４０が摺動後端２４０ｄにあるとき、スライドピン３１４は、スライド溝３４２から出た状態である。また、この状態では、スライドバー３４０の摺動前端３４０ａ側がスライド受ピン３１８に当接し、スライド受ピン３１８に規制された状態になっている。【００６７】
この状態で、ハンドル部３３０のハンドル３３２を下向きに回動させると、スライドバー３４０が摺動後端３４０ｄ側に摺動させられる。このとき、スライドバー３４０は、上面３４０ｂ及び下面３４０ｃが、スライド受ピン３１８と受軸３１６にそれぞれ規制されてもいる。【００６８】
さらにハンドル部３３０のハンドル３３２をさらに下向きに回動させると、さらに、スライドバー３４０が摺動後端３４０ｄ側に摺動させられるが、スライドピン３１４がスライド溝３４２に入り込み、スライド溝３４２で規制されてスライド溝３４２の軌道に沿った形で摺動前端３４０ａが動くことになる。具体的には、スライドピン３１４がスライドバー３４０の当接部の傾斜部であるスライド溝３４２に当接して、傾斜に沿って、スライドバー３４０の摺動前端３４０ａ側が下降することになる。すなわち、スライドバー３４０は、摺動されつつ下向きに揺動させられることになる。【００６９】
そして、ハンドル３３２が水平になるまで下向きに回動させると、図１５〜図１７に示すように、スライドバー３４０が摺動前端３４０ａ側に至り、スライドバー３４０の当接突起３４４が側壁部材３１０の側壁端３１０ａに突き当たって、スライドバー３４０の揺動及び摺動が停止されることにより、スライドバー３４０が固定されると共に下降したスライドバー３４０の摺動前端３４０ａ側で物品が固定される。【００７０】
上述とは反対に、物品の固定を解除する場合には、ハンドル部３３０のハンドル３３２を上方向に回動させる。すると、ハンドル部３３０の扇状部３３４に連結アーム３５０を介して連結されたスライドバー３４０が、牽引されて摺動後端３４０ｄに向かって牽引されつつ摺動されることになるが、ここからの動作は、上述とは反対の動作であり、また、スライド受ピン３１８等の規制は、実施例１と同様である。
【実施例５】
【００７１】
以下、本願発明の実施の形態の一例を、実施例５として図面を参照しながら具体的に説明する。図１８は、本発明に係る実施例５のクランプ装置のクランプ状態を示す斜視図である。図１９、図２０は、同実施例５のクランプ装置のクランプ状態を説明する説明図である。【００７２】
本実施例５のクランプ装置５の基本構造は、ハンドル４３２を回動させることで、スライドバー４４０を摺動させると共にスライドバー４４０の摺動前端４４０ａ側を上下に揺動させるハンドル部４３０と、スライドバー４４０が、スライドバー４４０の両脇に位置する側壁部材４１０，４１２方向に突出して設けられたスライドピン４４２を備え、側壁部材４１０，４１２に、スライドバー４４０の長手方向に沿って伸びると共にスライドピン４４２が挿嵌されるスライド溝４２２が穿設されて形成され、側壁部材４１０，４１２のスライド溝４２２に、スライドピン４４２が当接することによりスライドバー４４０の摺動前端４４０ａ側を下降させる傾斜部が形成されると共に、側壁部材４１０，４１２のスライド溝４２２に、スライドバー４４０が摺動前端４４０ａ側に摺動して物品を固定する位置で、スライドピン４４２が突き当たってスライドバー４４０の摺動を止める突当て部が形成されているものである。【００７３】
以下、まずは、本実施例５のクランプ装置５の具体的な構造を説明する。クランプ装置５は、側壁部材４１０，４１２、ハンドル部４３０、スライドバー４４０等からなる。そして、クランプ装置５は、両脇に略Ｌ字状に起立する側壁部材４１０，４１２を基本構造としている。２枚の側壁部材４１０，４１２の基本形状は、実施例１の形状と同様であり、相違点は後述する。【００７４】
クランプ装置５のスライドバー４４０は、前後（摺動前端４４０ａ及び摺動後端４４０ｄ）に伸びる上下方向に細巾の板状の部材である。スライドバー４４０は、摺動後端４４０ｄ側に、スライドバー４４０の両脇に位置する側壁部材４１０，４１２方向に突出するスライドピン４４２を有している。【００７５】
側壁部材４１０，４１２には、上下の略中間の高さで、また中央からスライドバー４４０の摺動後端４４０ｄ方向に、スライドバー４４０の長手方向に沿って伸びると共にスライドピン４４２が挿嵌されるスライド溝４２２が穿設されて形成されている。スライド溝４２２は、スライドバー４４０の摺動後端４４０ｄ側に、スライドバー４４０の摺動方向に沿って伸びて穿設された摺動方向溝部４２２ｂと、摺動方向溝部４２２ｂの摺動後端４４０ｄ側の端部が下方に折れ曲がって穿設された曲折溝部４２２ｃとからなる。【００７６】
そして、スライドバー４４０は、スライドピン４４２によって、動作を規制されることになる。具体的な動作は後述するが、本実施例５のクランプ装置５では、スライド溝４２２の傾斜部が曲折溝部４２２ｃで、突当て部が曲折端４２２ｄによって形成されている。【００７７】
また、実施例１と同様に、受軸４１６が、スライドピン４４２よりも摺動前端４４０ａ側に、側壁部材４１０と側壁部材４１２との間に架け渡されて設けられ、周囲に装着された受軸カプラ４１６ａを介して、スライドバー４４０の下面４４０ｃに当接するように設けられている。さらに、実施例１と同様に、スライド受ピン４１８が、スライドバー４４０の後述する連結アーム４５０の連結位置よりも摺動前端４４０ａ側であって、スライドバー４４０の上面４４０ｂ側に、側壁部材４１０と側壁部材４１２との間に架け渡されて設けられている。【００７８】
ハンドル部４３０も実施例１と同様に、薄板棒状のハンドル４３２とその下端の扇状の扇状部４３４からなり、扇状部４３４の要部分が回転中心となって、側壁部材４１０と側壁部材４１２との間に架け渡された軸ピン４２０によって回動自在に軸支されている。軸ピン４２０の位置、すなわちハンドル４３２の回動の中心は、スライドバー４４０が略水平の位置のスライドバー４４０の略中心の受軸４１６とはスライドバー４４０を挟んだ反対の位置である。そして、スライドバー４４０の摺動前端４４０ａ側とハンドル部４３０の扇状部４３４との間が、それぞれ連結ピン４５２，４５４で回動自在に軸支された連結アーム４５０で連結されているのも実施例１と同様である。【００７９】
次に、以上のような構成のクランプ装置５の動作を説明する。まず、実施例１と同様に、スライドバー４４０が摺動後端４４０ｄにあるとき、スライドバー４４０の摺動前端４４０ａはもっとも上昇しており、この状態では、クランプ装置５は物品を解放している。また、この状態では、ハンドル４３２ももっとも高い位置に揺動している。このスライドバー４４０が摺動後端４４０ｄにあるとき、スライドピン４４２は、スライド溝４２２の摺動前端４２２ａに位置している。また、この状態では、スライドバー４４０の摺動前端４４０ａ側がスライド受ピン４１８に当接し、スライド受ピン４１８に規制された状態になっている。【００８０】
この状態で、ハンドル部４３０のハンドル４３２を下向きに回動させると、スライドバー４４０が摺動後端４４０ｄ側に摺動させられ、スライドバー４４０が、スライドピン４４２によって規制されて摺動方向溝部４２２ｂの形状に沿って揺動して摺動前端４４０ａ側に前進することになる。このとき、スライドバー４４０は、上面４４０ｂ及び下面４４０ｃが、スライド受ピン４１８と受軸４１６にそれぞれ規制されてもいる。【００８１】
そして、さらにハンドル部４３０のハンドル４３２をさらに下向きに回動させると、スライドバー４４０が摺動後端４４０ｄ側に摺動させられ、スライドバー４４０が、スライドピン４４２によって規制されて摺動方向溝部４２２ｂの形状に沿って揺動して摺動前端４４０ａ側に前進すると共に、スライドピン４４２がスライド溝４２２の摺動方向溝部４２２ｂと曲折溝部４２２ｃとの交わる位置、すなわち傾斜部である曲折溝部４２２ｃのはじまる位置に、スライドバー４４０が到る。このとき、スライドバー４４０は、上面４４０ｂ及び下面４４０ｃが、依然としてスライド受ピン４１８と受軸４１６にそれぞれ規制されてもいる。【００８２】
さらにハンドル部４３０のハンドル４３２をさらに下向きに回動させると、さらに、スライドバー４４０が摺動後端４４０ｄ側に摺動させられるが、スライドピン４４２によってスライド溝４２２が規制されていることから、曲折溝部４２２ｃの軌道に沿った形で摺動前端４４０ａが動くことになる。具体的には、スライドピン４４２がスライド溝４２２の傾斜部である曲折溝部４２２ｃに当接して、曲折溝部４２２ｃの傾斜に沿って、スライドバー４４０の摺動前端４４０ａ側が下降することになる。すなわち、スライドバー４４０は、摺動されつつ下向きに揺動させられることになる。【００８３】
そして、ハンドル４３２が水平になるまで下向きに回動させると、図１８〜図２０に示すように、スライドバー４４０が摺動前端４４０ａ側に至り、スライドピン４４２が、突当て部であるスライド溝４２２の曲折溝部４２２ｃの曲折端４２２ｄに突き当たって、スライドバー４４０の揺動及び摺動が停止されることにより、スライドバー４４０が固定されると共に下降したスライドバー４４０の摺動前端４４０ａ側で物品が固定される。【００８４】
上述とは反対に、物品の固定を解除する場合には、ハンドル部４３０のハンドル４３２を上方向に回動させる。すると、ハンドル部４３０の扇状部４３４に連結アーム４５０を介して連結されたスライドバー４４０が、牽引されて摺動後端４４０ｄに向かって牽引されつつ摺動されることになるが、ここからの動作は、上述とは反対の動作であり、また、スライド受ピン４１８等の規制は、実施例１と同様である。
【実施例６】
【００８５】
以下、本願発明の実施の形態の一例を、実施例６として図面を参照しながら具体的に説明する。図２１は、本発明に係る実施例６のクランプ装置のクランプ状態を示す斜視図である。図２２は、同実施例６のクランプ装置のクランプ状態を説明する説明図である。【００８６】
本実施例６のクランプ装置６の基本構造は、ハンドル５３２を回動させることで、スライドバー５４０を摺動させると共にスライドバー５４０の摺動前端５４０ａ側を上下に揺動させるハンドル部５３０と、スライドバー５４０の両脇に位置する側壁部材５１０，５１２からスライドバー５４０方向に突出して設けられたスライドピン５１４を備え、スライドバー５４０に、スライドバー５４０の長手方向に沿って伸びると共にスライドピン５１４が当接する当接部としてのスライド溝５４２が形成され、スライドバー５４０の当接部としてのスライド溝５４２に、スライドピン５１４が当接することによりスライドバー５４０の摺動前端５４０ａ側を下降させる傾斜部が少なくとも形成されると共に、スライドバー５４０の当接部に、スライドバー５４０が摺動前端５４０ａ側に摺動して物品を固定する位置で、スライドピン５１４が突き当たってスライドバー５４０の摺動を止める突当て部が形成されているものである。【００８７】
以下、まずは、本実施例６のクランプ装置６の具体的な構造を説明する。クランプ装置６は、側壁部材５１０，５１２、２枚のハンドル部５３０、２枚のスライドバー５４０等からなる。そして、クランプ装置６は、両脇に略Ｌ字状に起立する側壁部材５１０，５１２を基本構造としている。２枚の側壁部材５１０，５１２の基本形状は、実施例１の形状と同様である。【００８８】
クランプ装置６のスライドバー５４０は、前後（摺動前端５４０ａ及び摺動後端５４０ｄ）に伸びる上下方向に細巾の板状の部材で、２枚の同形状のスライドバー５４０が平行状態を保持された状態で設けられている。それぞれのスライドバー５４０は、側面の後方（摺動後端５４０ｄ側）から中央方向（スライドバー５４０の摺動方向）に略沿って伸びるスライド溝５４２がスライドバー５４０を左右に貫通して穿設されている。スライド溝５４２は、スライドバー５４０の摺動後端５４０ｄ側に、スライドバー５４０の摺動方向に沿って伸びて穿設された摺動方向溝部５４２ｂと、摺動方向溝部５４２ｂの摺動後端５４０ｄ側の端部が下方に折れ曲がって穿設された曲折溝部５４２ｃとからなる。【００８９】
そして、スライドバー５４０の摺動後端５４０ｄ側の側壁部材５１０と側壁部材５１２との間に、２枚のスライドバー５４０のスライド溝５４２に同時に挿嵌された状態でスライドピン５１４が架け渡されている。スライドバー５４０は、スライドピン５１４によって、動作を規制されることになる。具体的な動作は後述するが、本実施例６のクランプ装置６では、それぞれのスライドバー５４０の当接部が、スライドバー５４０の長手方向に伸びて穿設されたスライド溝５４２の内面により形成されている。また、それぞれのスライドバー５４０の当接部の傾斜部が曲折溝部５４２ｃで、突当て部が曲折端５４２ｄによって形成されている。【００９０】
また、実施例１と同様に、受軸５１６が、スライドピン５１４よりも摺動前端５４０ａ側に、側壁部材５１０と側壁部材５１２との間に架け渡されて設けられ、周囲に装着された受軸カプラ５１６ａを介して、スライドバー５４０のスライド溝５４２の曲折溝部５４２ｃが折れ曲がった側の辺（下面５４０ｃ）に当接するように設けられている。さらに、実施例１と同様に、スライド受ピン５１８が、スライドバー５４０の後述する連結アーム５５０の連結位置よりも摺動前端５４０ａ側であって、スライド溝５４２の曲折溝部５４２ｃの折れ曲がる側とは逆側に、側壁部材５１０と側壁部材５１２との間に架け渡されて設けられている。【００９１】
ハンドル部５３０は、実施例１と同様に、薄板棒状のハンドル５３２とその下端の扇状の扇状部５３４からなるが、２枚の同形状のハンドル部５３０が平行状態を保持された状態で設けられ、扇状部５３４の要部分が回転中心となって、側壁部材５１０と側壁部材５１２との間に架け渡された軸ピン５２０によって回動自在に軸支されている。尚、それぞれのハンドル部５３０は、それぞれのスライドバー５４０の上方に位置するように設けられている。軸ピン５２０の位置、すなわちハンドル５３２の回動の中心は、スライドバー５４０が略水平の位置のスライドバーの略中心の受軸５１６とはスライドバー５４０を挟んだ反対の位置である。そして、２枚のスライドバー５４０の間であって、スライドバー５４０の摺動前端５４０ａ側とハンドル部５３０の扇状部５３４との間が、それぞれ連結ピン５５２，５５４で回動自在に軸支された連結アーム５５０で連結されている。【００９２】
次に、以上のような構成のクランプ装置６の動作を説明する。まず、実施例１と同様に、２枚のスライドバー５４０が摺動後端５４０ｄにあるとき、スライドバー５４０の摺動前端５４０ａはもっとも上昇しており、この状態では、クランプ装置６は物品を解放している。また、この状態では、２枚のハンドル５３２ももっとも高い位置に揺動している。このスライドバー５４０が摺動後端５４０ｄにあるとき、スライドピン５１４は、スライド溝５４２の摺動前端５４２ａに位置している。また、この状態では、スライドバー５４０の摺動前端５４０ａ側がスライド受ピン５１８に当接し、スライド受ピン５１８に規制された状態になっている。【００９３】
この状態で、２枚のハンドル部５３０のハンドル５３２を同時に下向きに回動させると、２枚のスライドバー５４０が摺動後端５４０ｄ側に摺動させられ、スライドバー５４０が、スライドピン５１４に規制されて摺動方向溝部５４２ｂの形状に沿って揺動して摺動前端５４０ａ側に前進することになる。このとき、２枚のスライドバー５４０は、上面５４０ｂ及び下面５４０ｃが、それぞれスライド受ピン５１８と受軸５１６にそれぞれ規制されてもいる。【００９４】
そして、さらに２枚のハンドル部５３０のハンドル５３２を同時にさらに下向きに回動させると、２枚のスライドバー５４０が摺動後端５４０ｄ側に摺動させられ、スライドバー５４０が、スライドピン５１４に規制されて摺動方向溝部５４２ｂの形状に沿って揺動して摺動前端５４０ａ側に前進すると共に、スライドピン５１４がスライド溝５４２の摺動方向溝部５４２ｂと曲折溝部５４２ｃとの交わる位置、すなわち傾斜部である曲折溝部５４２ｃのはじまる位置に、それぞれのスライドバー５４０が到る。このとき、それぞれのスライドバー５４０は、上面５４０ｂ及び下面５４０ｃが、依然としてスライド受ピン５１８と受軸５１６にそれぞれ規制されてもいる。【００９５】
さらに２枚のハンドル部５３０のハンドル５３２を同時にさらに下向きに回動させると、さらに、それぞれのスライドバー５４０が摺動後端５４０ｄ側に摺動させられるが、スライドピン５１４によってスライド溝５４２が規制されていることから、曲折溝部５４２ｃの軌道に沿った形で摺動前端５４０ａが動くことになる。具体的には、スライドピン５１４がそれぞれのスライドバー５４０の当接部の傾斜部である曲折溝部５４２ｃに当接して、曲折溝部５４２ｃの傾斜に沿って、スライドバー５４０の摺動前端５４０ａ側が下降することになる。すなわち、それぞれのスライドバー５４０は、摺動されつつ下向きに揺動させられることになる。【００９６】
そして、２枚のハンドル５３２が水平になるまで下向きに回動させると、図２１及び図２２に示すように、それぞれのスライドバー５４０が摺動前端５４０ａ側に至り、スライドピン５１４が、突当て部であるスライド溝５４２の曲折溝部５４２ｃの曲折端５４２ｄに突き当たって、スライドバー５４０の揺動及び摺動が停止されることにより、スライドバー５４０が固定されると共に下降したそれぞれのスライドバー５４０の摺動前端５４０ａ側で物品が固定される。【００９７】
上述とは反対に、物品の固定を解除する場合には、図２１及び図２２の状態から、２枚のハンドル部５３０のハンドル５３２を上方向に回動させる。すると、それぞれのハンドル部５３０の扇状部５３４に連結アーム５５０を介して連結されたそれぞれのスライドバー５４０が、牽引されて摺動後端５４０ｄに向かって牽引されつつ摺動されることになるが、ここからの動作は、上述とは反対の動作であり、また、スライド受ピン５１８等の規制は、実施例１と同様である。
【実施例７】
【００９８】
以下、本願発明の実施の形態の一例を、実施例７として図面を参照しながら具体的に説明する。図２３は、本発明に係る実施例７のクランプ装置のクランプ状態を示す斜視図である。図２４は、同実施例７のクランプ装置のクランプ状態を説明する説明図である。【００９９】
本実施例７のクランプ装置７の基本構造は、ハンドル６３２を回動させることで、スライドバー６４０を摺動させると共にスライドバー６４０の摺動前端６４０ａ側を上下に揺動させるハンドル部６３０と、スライドバー６４０の両脇に位置する側壁部材６１０，６１２からスライドバー６４０方向に突出して設けられたスライドピン６１４を備え、スライドバー６４０に、スライドバー６４０の長手方向に沿って伸びると共にスライドピン６１４が当接する当接部としてのスライド溝６４２が形成され、スライドバー６４０の当接部としてのスライド溝６４２に、スライドピン６１４が当接することによりスライドバー６４０の摺動前端６４０ａ側を下降させる傾斜部が少なくとも形成されると共に、スライドバー６４０の当接部に、スライドバー６４０が摺動前端６４０ａ側に摺動して物品を固定する位置で、スライドピン６１４が突き当たってスライドバー６４０の摺動を止める突当て部が形成されているものである。【０１００】
以下、まずは、本実施例７のクランプ装置７の具体的な構造を説明する。クランプ装置７は、側壁部材６１０，６１２、ハンドル部６３０、２枚のスライドバー６４０等からなる。そして、クランプ装置７は、両脇に略Ｌ字状に起立する側壁部材６１０，６１２を基本構造としている。２枚の側壁部材６１０，６１２の基本形状は、実施例１の形状と同様である。【０１０１】
クランプ装置７のスライドバー６４０は、前後（摺動前端６４０ａ及び摺動後端６４０ｄ）に伸びる上下方向に細巾の板状の部材で、２枚の同形状のスライドバー６４０が平行状態を保持された状態で設けられている。それぞれのスライドバー６４０は、側面の後方（摺動後端６４０ｄ側）から中央方向（スライドバー６４０の摺動方向）に略沿って伸びるスライド溝６４２がスライドバー６４０を左右に貫通して穿設されている。スライド溝６４２は、スライドバー６４０の摺動後端６４０ｄ側に、スライドバー６４０の摺動方向に沿って伸びて穿設された摺動方向溝部６４２ｂと、摺動方向溝部６４２ｂの摺動後端６４０ｄ側の端部が下方に折れ曲がって穿設された曲折溝部６４２ｃとからなる。【０１０２】
そして、スライドバー６４０の摺動後端６４０ｄ側の側壁部材６１０と側壁部材６１２との間に、２枚のスライドバー６４０のスライド溝６４２に同時に挿嵌された状態でスライドピン６１４が架け渡されている。スライドバー６４０は、スライドピン６１４によって、動作を規制されることになる。具体的な動作は後述するが、本実施例７のクランプ装置７では、それぞれのスライドバー６４０の当接部が、スライドバー６４０の長手方向に伸びて穿設されたスライド溝６４２の内面により形成されている。また、それぞれのスライドバー６４０の当接部の傾斜部が曲折溝部６４２ｃで、突当て部が曲折端６４２ｄによって形成されている。【０１０３】
また、実施例１と同様に、受軸６１６が、スライドピン６１４よりも摺動前端６４０ａ側に、側壁部材６１０と側壁部材６１２との間に架け渡されて設けられ、周囲に装着された受軸カプラ６１６ａを介して、スライドバー６４０のスライド溝６４２の曲折溝部６４２ｃが折れ曲がった側の辺（下面６４０ｃ）に当接するように設けられている。さらに、実施例１と同様に、スライド受ピン６１８が、スライドバー６４０の後述する連結アーム６５０の連結位置よりも摺動前端６４０ａ側であって、スライド溝６４２の曲折溝部６４２ｃの折れ曲がる側とは逆側に、側壁部材６１０と側壁部材６１２との間に架け渡されて設けられている。【０１０４】
ハンドル部６３０は、棒状のハンドル６３２と、その端部に設けられた扇状のブロックである扇状ブロック６３４からなり、扇状ブロック６３４の湾曲する下部により扇状部６３４ａが形成されている。そして、ハンドル部６３０の扇状ブロック部６３４の要部分が回転中心となって、側壁部材６１０と側壁部材６１２との間に架け渡された軸ピン６２０によって回動自在に軸支されている。軸ピン６２０の位置、すなわちハンドル６３２の回動の中心は、スライドバー６４０が略水平の位置のスライドバーの略中心の受軸６１６とはスライドバー６４０を挟んだ反対の位置である。そして、扇状ブロック６３４のハンドル６３２が設けられた反対側が、幅方向の中心に切り欠き６３４ｂを有し、スライドバー６４０の摺動前端６４０ａ側とハンドル部６３０の扇状部６３４の切り欠き６３４ｂとの間が、それぞれ連結ピン６５２，６５４で回動自在に軸支された連結アーム６５０で連結されている。【０１０５】
次に、以上のような構成のクランプ装置７の動作を説明する。まず、実施例１と同様に、２枚のスライドバー６４０が摺動後端６４０ｄにあるとき、スライドバー６４０の摺動前端６４０ａはもっとも上昇しており、この状態では、クランプ装置７は物品を解放している。また、この状態では、ハンドル６３２ももっとも高い位置に揺動している。このスライドバー６４０が摺動後端６４０ｄにあるとき、スライドピン６１４は、スライド溝６４２の摺動前端６４２ａに位置している。また、この状態では、スライドバー６４０の摺動前端６４０ａ側がスライド受ピン６１８に当接し、スライド受ピン６１８に規制された状態になっている。【０１０６】
この状態で、ハンドル部６３０のハンドル６３２を下向きに回動させると、２枚のスライドバー６４０が摺動後端６４０ｄ側に摺動させられ、スライドバー６４０が、スライドピン６１４に規制されて摺動方向溝部６４２ｂの形状に沿って揺動して摺動前端６４０ａ側に前進することになる。このとき、２枚のスライドバー６４０は、上面６４０ｂ及び下面６４０ｃが、それぞれスライド受ピン６１８と受軸６１６にそれぞれ規制されてもいる。【０１０７】
そして、さらにハンドル部６３０のハンドル６３２をさらに下向きに回動させると、２枚のスライドバー６４０が摺動後端６４０ｄ側に摺動させられ、スライドバー６４０が、スライドピン６１４に規制されて摺動方向溝部６４２ｂの形状に沿って揺動して摺動前端６４０ａ側に前進すると共に、スライドピン６１４がスライド溝６４２の摺動方向溝部６４２ｂと曲折溝部６４２ｃとの交わる位置、すなわち傾斜部である曲折溝部６４２ｃのはじまる位置に、それぞれのスライドバー６４０が到る。このとき、それぞれのスライドバー６４０は、上面６４０ｂ及び下面６４０ｃが、依然としてスライド受ピン６１８と受軸６１６にそれぞれ規制されてもいる。【０１０８】
さらにハンドル部６３０のハンドル６３２をさらに下向きに回動させると、さらに、それぞれのスライドバー６４０が摺動後端６４０ｄ側に摺動させられるが、スライドピン６１４によってスライド溝６４２が規制されていることから、曲折溝部６４２ｃの軌道に沿った形で摺動前端６４０ａが動くことになる。具体的には、スライドピン６１４がそれぞれのスライドバー６４０の当接部の傾斜部である曲折溝部６４２ｃに当接して、曲折溝部６４２ｃの傾斜に沿って、スライドバー６４０の摺動前端６４０ａ側が下降することになる。すなわち、それぞれのスライドバー６４０は、摺動されつつ下向きに揺動させられることになる。【０１０９】
そして、ハンドル６３２が水平になるまで下向きに回動させると、図２３及び図２４に示すように、それぞれのスライドバー６４０が摺動前端６４０ａ側に至り、スライドピン６１４が、突当て部であるスライド溝６４２の曲折溝部６４２ｃの曲折端６４２ｄに突き当たって、スライドバー６４０の揺動及び摺動が停止されることにより、スライドバー６４０が固定されると共に下降したそれぞれのスライドバー６４０の摺動前端６４０ａ側で物品が固定される。【０１１０】
上述とは反対に、物品の固定を解除する場合には、図２３及び図２４の状態から、ハンドル部６３０のハンドル６３２を上方向に回動させる。すると、ハンドル部６３０の扇状部６３４に連結アーム６５０を介して連結されたそれぞれのスライドバー６４０が、牽引されて摺動後端６４０ｄに向かって牽引されつつ摺動されることになるが、ここからの動作は、上述とは反対の動作であり、また、スライド受ピン６１８等の規制は、実施例１と同様である。【０１１１】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。【０１１２】
本出願は、２０１６年５月１６日に出願された、日本国特許出願特願２０１６−０９７８１０号に基づく。本明細書中に日本国特許出願特願２０１６−０９７８１０号の明細書、特許請求の範囲、図面全体を参照として取り込むものとする。
【産業上の利用可能性】
【０１１３】
以上のように、本発明によれば、構造が容易で軽量化が可能で、部品点数を抑えたクランプ装置を提供することができる。
【符号の説明】
【０１１４】
１・・・・・・クランプ装置
２・・・・・・クランプ装置
３・・・・・・クランプ装置
４・・・・・・クランプ装置
５・・・・・・クランプ装置
６・・・・・・クランプ装置
７・・・・・・クランプ装置
１０・・・・・側壁部材
１２・・・・・側壁部材
１４・・・・・スライドピン
１６・・・・・受軸
１６ａ・・・・受軸カプラ
１８・・・・・スライド受ピン
２０・・・・・軸ピン
３０・・・・・ハンドル部
３２・・・・・ハンドル
３４・・・・・扇状部
４０・・・・・スライドバー
４０ａ・・・・摺動前端
４０ｂ・・・・上面
４０ｃ・・・・下面
４０ｄ・・・・摺動後端
４２・・・・・スライド溝
４２ａ・・・・摺動前端
４２ｂ・・・・摺動方向溝部
４２ｃ・・・・曲折溝部
４２ｄ・・・・曲折端
５０・・・・・連結アーム
５２・・・・・連結ピン
５４・・・・・連結ピン
１１０・・・・側壁部材
１１２・・・・側壁部材
１１４・・・・スライドピン
１１６・・・・受軸
１１６ａ・・・受軸カプラ
１１８・・・・スライド受ピン
１２０・・・・軸ピン
１２２・・・・当接ピン
１３０・・・・ハンドル部
１３２・・・・ハンドル
１３４・・・・扇状部
１４０・・・・スライドバー
１４０ａ・・・摺動前端
１４０ｂ・・・上面
１４０ｃ・・・下面
１４０ｄ・・・摺動後端
１４２・・・・スライド溝
１４２ａ・・・傾斜部
１４２ｂ・・・水平部
１４２ｃ・・・当接端
１５０・・・・連結アーム
１５２・・・・連結ピン
１５４・・・・連結ピン
２１０・・・・側壁部材
２１０ａ・・・側壁端
２１２・・・・側壁部材
２１４・・・・スライドピン
２１６・・・・受軸
２１８・・・・スライド受ピン
２２０・・・・軸ピン
２３０・・・・ハンドル部
２３２・・・・ハンドル
２３４・・・・扇状部
２４０・・・・スライドバー
２４０ａ・・・摺動前端
２４０ｂ・・・上面
２４０ｃ・・・下面
２４０ｄ・・・摺動後端
２４２・・・・スライド溝
２４２ａ・・・傾斜部
２４２ｂ・・・水平部
２４４・・・・当接突起
２５０・・・・連結アーム
２５２・・・・連結ピン
２５４・・・・連結ピン
３１０・・・・側壁部材
３１０ａ・・・側壁端
３１２・・・・側壁部材
３１４・・・・スライドピン
３１６・・・・受軸
３１８・・・・スライド受ピン
３２０・・・・軸ピン
３３０・・・・ハンドル部
３３２・・・・ハンドル
３３４・・・・扇状部
３４０・・・・スライドバー
３４０ａ・・・摺動前端
３４０ｂ・・・上面
３４０ｃ・・・下面
３４０ｄ・・・摺動後端
３４２・・・・スライド溝
３４４・・・・当接突起
３５０・・・・連結アーム
３５２・・・・連結ピン
３５４・・・・連結ピン
４１０・・・・側壁部材
４１２・・・・側壁部材
４１６・・・・受軸
４１６ａ・・・受軸カプラ
４１８・・・・スライド受ピン
４２０・・・・軸ピン
４２２・・・・スライド溝
４２２ａ・・・摺動前端
４２２ｂ・・・摺動方向溝部
４２２ｃ・・・曲折溝部
４２２ｄ・・・曲折端
４２４・・・・スライド溝
４３０・・・・ハンドル部
４３２・・・・ハンドル
４３４・・・・扇状部
４４０・・・・スライドバー
４４０ａ・・・摺動前端
４４０ｂ・・・上面
４４０ｃ・・・下面
４４０ｄ・・・摺動後端
４４２・・・・スライドピン
４５０・・・・連結アーム
４５２・・・・連結ピン
４５４・・・・連結ピン
５１０・・・・側壁部材
５１２・・・・側壁部材
５１４・・・・スライドピン
５１６・・・・受軸
５１６ａ・・・受軸カプラ
５１８・・・・スライド受ピン
５２０・・・・軸ピン
５２２・・・・当接ピン
５３０・・・・ハンドル部
５３２・・・・ハンドル
５３４・・・・扇状部
５４０・・・・スライドバー
５４０ａ・・・摺動前端
５４０ｂ・・・上面
５４０ｃ・・・下面
５４０ｄ・・・摺動後端
５４２・・・・スライド溝
５４２ａ・・・摺動前端
５４２ｂ・・・摺動方向溝部
５４２ｃ・・・曲折溝部
５４２ｄ・・・曲折端
５５０・・・・連結アーム
５５２・・・・連結ピン
５５４・・・・連結ピン
６１０・・・・側壁部材
６１２・・・・側壁部材
６１４・・・・スライドピン
６１６・・・・受軸
６１６ａ・・・受軸カプラ
６１８・・・・スライド受ピン
６２０・・・・軸ピン
６２２・・・・当接ピン
６３０・・・・ハンドル部
６３２・・・・ハンドル
６３４・・・・扇状ブロック
６３４ａ・・・扇状部
６３４ｂ・・・切り欠き
６４０・・・・スライドバー
６４０ａ・・・摺動前端
６４０ｂ・・・上面
６４０ｃ・・・下面
６４０ｄ・・・摺動後端
６４２・・・・スライド溝
６４２ａ・・・摺動前端
６４２ｂ・・・摺動方向溝部
６４２ｃ・・・曲折溝部
６４２ｄ・・・曲折端
６５０・・・・連結アーム
６５２・・・・連結ピン
６５４・・・・連結ピン
【図１】
0006593854.tif 000002
【図２】
0006593854.tif 000003
【図３】
0006593854.tif 000004
【図４】
0006593854.tif 000005
【図５】
0006593854.tif 000006
【図６】
0006593854.tif 000007
【図７】
0006593854.tif 000008
【図８】
0006593854.tif 000009
【図９】
0006593854.tif 000010
【図１０】
0006593854.tif 000011
【図１１】
0006593854.tif 000012
【図１２】
0006593854.tif 000013
【図１３】
0006593854.tif 000014
【図１４】
0006593854.tif 000015
【図１５】
0006593854.tif 000016
【図１６】
0006593854.tif 000017
【図１７】
0006593854.tif 000018
【図１８】
0006593854.tif 000019
【図１９】
0006593854.tif 000020
【図２０】
0006593854.tif 000021
【図２１】
0006593854.tif 000022
【図２２】
0006593854.tif 000023
【図２３】
0006593854.tif 000024
【図２４】
0006593854.tif 000025